(57)【特許請求の範囲】
【請求項１】
基幹部と、該基幹部から二股状に分岐している２つの分岐部と、これら分岐部の先端から延びている延長部と、から構成される金具本体と、上記基幹部および上記延長部に各々摺動可能に固定される可動クリップと、上記２つの分岐部のいずれか一方あるいは上記延長部に摺動自在に固定される押え杆と、から成ることを特徴とするスリーブ固定用金具。
【請求項２】
上記押え杆が一対設けられていることを特徴とする請求項１に記載のスリーブ固定用金具。
【請求項３】
上記金具本体が弾性的にくの字状に曲設されていることを特徴とする請求項１に記載のスリーブ固定用金具。
【請求項４】
上記可動クリップが、方形のべース部と、該べース部の相い対する辺から外方にハ字状に張り出し、上記基幹部あるいは延長部が挿通するロック穴を有する一対の弾性ロック片と、該弾性ロック片に対してほぼ直交する方向に上記べース部の別の相い対する辺からハ字状に張り出し鉄筋が挿通する凹部を形成した一対の鉄筋掛止片と、から構成されることを特徴とする請求項１ないし３のいずれかの請求項に記載のスリーブ固定用金具。
【発明の詳細な説明】
【０００１】
【産業上の利用分野】
本発明は、例えば、ＲＣ（鉄筋コンクリート）造建物あるいはＳＲＣ（鉄骨鉄筋コンクリート）造建物の躯体工事におけるスリーブ固定用金具に関する。
【０００２】
【従来の技術】
一般に、この種の建物の梁や壁等の躯体には貫通孔が形成される場合がある。この場合、躯体工事において躯体用鉄筋にスリーブを固定してコンクリート打設がなされる。
【０００３】
従来、例えば、梁鉄筋にスリーブを固定するには、図９に示すように、貫通孔付近のあばら筋Ｒの途中に支持用鉄筋Ｆを番線にて固定し、この支持用鉄筋Ｆ上にスリーブＳを番線にて締め付け固定していた。
【０００４】
【発明が解決しようとする課題】
しかしながら、上記従来の固定方法では、番線を締め付けるための専用工具を必要とし、取り付けに際して熟練を必要とするだけでなく、固定位置の調整に手間がかかったり、固定箇所が多くて手間と時間がかかる等の問題点があった。
【０００５】
本発明は、上記従来の問題点を解決するためになされたもので、その目的とするところは、取り付けが簡単で任意の位置に正確かつ確実に固定することができるスリーブ固定用金具を提供することにある。
【０００６】
【課題を解決するための手段】
本発明のスリーブ固定用金具は、基幹部と、該基幹部から二股状に分岐している２つの分岐部と、これら分岐部の先端から延びている延長部と、から構成される金具本体と、上記基幹部および上記延長部に各々摺動可能に固定される可動クリップと、上記２つの分岐部のいずれか一方あるいは上記延長部に摺動自在に固定される押え杆と、から成ることを特徴とする。また、上記押え杆が一対設けられていることを特徴とする。さらに、上記金具本体が弾性的にくの字状に曲設されていることを特徴とする。又更に、上記可動クリップが、方形のべース部と、該べース部の相い対する辺から外方にハ字状に張り出し、上記基幹部あるいは延長部が挿通するロック穴を有する一対の弾性ロック片と、該弾性ロック片に対してほぼ直交する方向に上記べース部の別の相い対する辺からハ字状に張り出し鉄筋が挿通する凹部を形成した一対の鉄筋掛止片と、から構成されることを特徴とする。
【０００７】
【実施例】
以下、本発明の実施例について図面を参照しながら説明する。
図１において、１は金具本体であって、基幹部１ａとこれから二股状に分岐している２つの分岐部１ｂ、１ｂから構成され、全体としてほぼＹ字状に形成されている。
【０００８】
上記金具本体１の基幹部１ａには、可動クリップ２が摺動可能に固定されている。図１（Ｃ）及び（Ｄ）からも明らかなように、該可動クリップ２は方形のベース部２ａと、該ベース部２ａの相い対する辺から外方にハ字状に張り出している一対の弾性ロック片２ｂ、２ｂと、該弾性ロック片２ｂに対してほぼ直交する方向に上記ベース部２ａの別の相い対する辺からハ字状に張り出している一対の鉄筋掛止片２ｃ、２ｃから構成されている。上記弾性ロック片２ｂにはスリット状のロック穴２ｂ′が形成されていて、これに上記金具本体１の基幹部１ａが挿通している。上記一対の鉄筋掛止片２ｃには、鉄筋に掛け止めるための凹部２ｃ′が形成されている。
【０００９】
上記金具本体１の分岐部１ｂの先端は折曲されていて、上記基幹部１ａとほぼ同じ方向に平行に延びた延長部１ｂ′となっている。一方（下側）の分岐部１ｂの延長部１ｂ′は長くなっていて、押え杆３が摺動自在に取り付けられている。該押え杆３の基部３ａはＶ字状に形成されていて、図１（Ｂ）からも明らかなように、スリット状のロック穴３ａ′が形成されており、その中に上記延長部１ｂ′が挿通している。該押え杆３が取付られている延長部１ｂ′には、上記可動クリップ２も摺動可能に固定されている。
【００１０】
本実施例のスリーブ固定用金具は、以上のように構成されているので、これによりスリーブを梁鉄筋に固定するには、まず、可動クリップ２を基幹部１ａあるいは延長部１ｂ′に沿って移動させて所望位置に固定する。該可動クリップ２の移動操作は、図２（Ａ）に示すように、一対の弾性ロック片２ｂを指で外側から掴んで矢印Ｐ１方向に戻し、そのロック穴２ｂ′内に挿通している基幹部１ａあるいは延長部１ｂ′のロック状態を解除してから行う。可動クリップ２を所定位置に移動させてから上記矢印Ｐ１の力を解除すると、図２（Ｂ）に示すように、上記一対の弾性ロック片２ｂは、その弾性力により矢印Ｐ２方向に開き、そのロック穴２ｂ′の縁部が上記基幹部１ａあるいは延長部１ｂ′に弾性的に係合するので、その結果、可動クリップ２が基幹部１ａあるいは延長部１ｂ′に固定される。
【００１１】
次に、図３に示すように、上記可動クリップ２をあばら筋Ｒに掛止して、金具本体１を取り付ける。該可動クリップ２のあばら筋Ｒへの掛止は、図４（Ａ）に示すように、一対の鉄筋掛止片２ｃを指で外側から掴んで、矢印Ｐ３方向に戻してロック状態を解除してから、その凹部２ｃ′内にあばら筋Ｒを挿入する。あばら筋Ｒを挿入して可動クリップ２の位置決めを行った後、上記矢印Ｐ３の力を解除すると、図４（Ｂ）に示すように、上記一対の鉄筋掛止片２ｃは、その弾性力により矢印Ｐ４方向に開き、上記凹部２ｃ′の縁部があばら筋Ｒに弾性的に係合して、その結果、可動クリップ２があばら筋Ｒに固定される。
【００１２】
図５から明らかなように、上記可動クリップ２は梁両側面のあばら筋Ｒの内側に各々取り付けられ、その取付が完了したら、上記分岐部１ｂ、１ｂの内側にスリーブＳをセットし、押え杆３を移動させて押さえる。該押え杆３の移動は、図６（Ａ）に示すように、その基部３ａを矢印Ｐ５方向に戻してロック状態を解除してから行う。押え杆３を移動させて上記スリーブＳに弾性的に当接させてから、上記矢印Ｐ５の力を解除すると、図６（Ｂ）に示すように、上記基部３ａはその弾性力により矢印Ｐ６方向に開き、そのロック穴３ａ′の縁部が延長部１ｂ′に弾性的に係合して、その結果、押え杆３が固定される。
【００１３】
図７は、上記押え杆３の別の実施例の押え杆３′を示すもので、本押え杆３′も上記押え杆３のＶ字状の基部３ａと同様の原理により、延長部１ｂ′に沿って移動可能で所定位置において固定される。
【００１４】
図８は本発明の金具本体の改変例を示すもので、特に（Ｅ）は金具本体１を直線状に形成して、一対の押え杆３によりスリーブＳを押さえるように構成した例を示し、（Ｆ）は金具本体１をほぼＨ形状に形成して、スリーブＳの各種の取付状態を可能とした例を示し、（Ｇ）は金具本体１自身を弾性材料により構成して、これをくの字状に曲げて、押え杆３と共にスリーブＳを固定する例を示し、（Ｈ）は金具本体１を２つの部材１′、１″を一体的に組み付けて構成した例を示すものである。以上のように、本願発明の金具本体１は各種の形状及び組み付けが可能であり、また、該金具本体１に対する押え杆３の取付状態も各種の態様が可能である。
【００１５】
【発明の効果】
１）スリーブを任意の上下位置に確実かつ安定してセットすることができる。
２）各種の外径のスリーブに対応させることができる。
【図面の簡単な説明】
【図１】本発明のスリーブ固定用金具の一実施例の構成の説明図である。
【図２】可動クリップの操作の説明図である。
【図３】図１の実施例の金具によるスリーブのセット説明図である。
【図４】可動クリップの操作の説明図である。
【図５】図３の平面図である。
【図６】押え杆の操作の説明図である。
【図７】押え杆の別の実施例を示す図である。
【図８】本発明の金具本体の改変例を示す説明図である。
【図９】従来のスリーブのセット説明図である。
【符号の説明】
１  金具本体
１′部材
１″部材
１ａ  基幹部
１ｂ  分岐部
１ｂ′延長部
２  可動クリップ
２ａ  ベース部
２ｂ  弾性ロック片
２ｂ′ロック穴
２ｃ  鉄筋掛止片
２ｃ′凹部
３  押え杆
３ａ  基部
３ａ′ロック穴
Ｒ  あばら筋
Ｓ  スリーブ
Ｔ  梁主筋
【図１】
0003614523.tif 000002
【図２】
0003614523.tif 000003
【図３】
0003614523.tif 000004
【図４】
0003614523.tif 000005
【図５】
0003614523.tif 000006
【図６】
0003614523.tif 000007
【図７】
0003614523.tif 000008
【図８】
0003614523.tif 000009
【図９】
0003614523.tif 000010